(57)【特許請求の範囲】
【請求項１】
第１空間（１３）と第２空間（１４）とに仕切る隔壁（６）を有するベース（２）と、前記ベース（２）の前記第１空間（１３）側を区画するケース（４）と、前記ベース（２）の第２空間（１４）側を区画するカバー（３）とを備えた筺体構造において、
防水性と通気性を有する素材よりなり前記隔壁（６）に設けた通気孔（７）を覆う防水シート（８）の前記第２空間（１４）側に、前記防水シート（８）の表面に接触しない程度の近接状態で、小間隙で対向する板片の対からなる導水体（９）を設けることを特徴とする筺体構造。
【請求項２】
前記導水体（９）は、前記ベース（２）の外周面に設けた排水口（１２）まで延設されることを特徴とする請求項１に記載の筺体構造。
【請求項３】
前記導水体（９）は、前記カバー（３）の前記第２空間（１４）側の面に立設されることを特徴とする請求項１又は２に記載の筺体構造。
【請求項４】
前記導水体（９）は、前記隔壁（６）に当接する第２突起（１１）を有することを特徴とする請求項３に記載の筺体構造。
【発明の詳細な説明】
【技術分野】
【０００１】
本発明は、車両等に搭載される各種機器の筺体構造に関する。
【背景技術】
【０００２】
車両の室外に配置される車載機器の筺体は、その第１空間と第２空間とを連通させる通気孔を有し、通気孔は防水性と通気性を有する素材からなる防水シートで覆われている。この通気孔が被水したときには、通気孔は表面張力による水膜で塞がれ、通気孔として機能しなくなる。
【０００３】
この問題を解決するものとして、特許文献１には、通気孔に至る通気経路を迷路構造にして、通気孔が被水しないようにする技術が開示されている。
【０００４】
また、通気孔の周囲に複数個の板状の壁部を設け、隣接する壁部との間にスリットを形成して、通気孔に溜まった水をスリットの毛細管現象により吸い出して排出するという技術が提案されている。
【先行技術文献】
【特許文献】
【０００５】
【特許文献１】特開２００２−３２３３５１号公報
【発明の概要】
【発明が解決しようとする課題】
【０００６】
しかしながら、特許文献１に係る技術によれば、迷路構造を形成する部位の容積が大きくなって機器が大型化し、機器の取り付け姿勢の制約が大きくなるとともに、通気孔まで水が浸入した場合の排水が困難になるという問題がある。
【０００７】
また、通気孔の周囲に壁部とスリットを設ける技術によれば、通気孔が下向きとなる筺体の水平搭載状態において、通気孔の防水シートに水膜が張るのを防止することができず、音質不良や発音体の破損を誘発するという問題がある。
【０００８】
本発明は、上述した問題に鑑みてなされたものであり、防水シートで覆われた通気孔に水膜が張ることを防止した車両用警報装置を提供することを目的とする。
【課題を解決するための手段】
【０００９】
上記目的を達成するためになされた請求項１に記載の発明は、第１空間（１３）と第２空間（１４）とに仕切る隔壁（６）を有するベース（２）と、ベース（２）の第１空間（１３）側を区画するケース（４）と、ベース（２）の第２空間（１４）側を区画するカバー（３）とを備えた筺体構造において、防水性と通気性を有する素材よりなり隔壁（６）に設けた通気孔（７）を覆う防水シート（８）の第２空間（１４）側に、防水シート（８）の表面に接触しない程度の近接状態で、小間隙で対向する板片の対からなる導水体（９）を設けることを特徴とする。
【００１０】
この構成によれば、通気孔（７）を覆う防水シート（８）の第２空間（１４）側に、防水シート（８）の表面に接触しない程度の近接状態で、小間隙で対向する板片の対からなる導水体（９）を設けるので、防水シート（８）の水膜が除去され、通気孔（７）に水膜が張ることを防止できるという優れた効果を奏する。
【００１３】
請求項２に記載の発明は、導水体（９）が、ベース（２）の外周面に設けた排水口（１２）まで延設されることを特徴とする。
【００１４】
この構成によれば、導水体（９）は吸水した防水シート（８）の水膜の水を排水口（１２）まで導水するので、防水シート（８）の水を効果的に排出することができる。
【００１５】
請求項３に記載の発明は、導水体（９）が、カバー（３）の第２空間（１４）側の面に立設されることを特徴とする。
【００１６】
この構成によれば、筺体の構造を簡易にすることができる。
【００１７】
請求項４に記載の発明は、導水体（９）が、隔壁（６）に当接する第２突起（１１）を有することを特徴とする。
【００１８】
この構成によれば、例えば、カバー（３）が外力を受けて変形したとしても第２突起（１１）がベース（２）の隔壁（６）に当接し、防水シート（８）と導水体（９）とが接触することはないので、防水シート（８）の損傷を防止することができる。
【図面の簡単な説明】
【００１９】
【図１】本発明を実施する部品筺体の正面図（ａ）及び下面図（ｂ）である。
【図２】図１（ａ）におけるＡ−Ａ縦断面図である。
【図３】図２におけるＢ部の拡大図である。
【図４】図１（ａ）においてカバー３を取外した場合の正面図である。
【図５】カバー３の裏面の斜視図である。
【発明を実施するための形態】
【００２０】
以下、本発明を具体化した一実施形態について、図面を参照しつつ説明する。
【００２１】
発音体５を搭載する筺体１は、図１及び図２に示すように、内側の中間部に隔壁６を有する樹脂製のベース２と、ベース２の一方の開口端を気密に封じる樹脂製のケース４と、ベース２の他方の開口端を防滴に封じる樹脂製のカバー３とによって構成される。
【００２２】
隔壁６の偏芯した位置には開口部１５が設けられている。この開口部１５を塞ぐように発音体５が気密に設けられている。発音体５は、スピーカや振動板等である。
【００２３】
ベース２の一方の開口端にはケース４が溶着、接着されているので、ベース２、隔壁６、発音体５及びケース４で囲繞された空間は気密が保持される第１空間１３となる。第１空間１３の温度が変化したときには、発音体５に加わる圧力が変動して発音体５の音圧レベルに影響を与えるので、隔壁６の通気孔７に防水シート８を溶着して設けることにより空間の圧力を調整している。
【００２４】
図３及び図４に示すように、通気孔７は、第２空間（１４）側にラッパ状に開いて隔壁６に穿孔されている。通気孔７は、一個で足り、その大きさも比較的小さなもので済む。
【００２５】
防水シート８は、防水性と通気性を有する薄膜状の素材であり、例えば、ゴアテックス（登録商標）が好ましく採用される。
【００２６】
カバー３は、発音体５が発する音を外部へ放出するための図示しない貫通孔等を有するとともに、その貫通孔等から雨水等が容易に浸入しないようにするため、種々のリブやスリットを備える。そして、カバー３、ベース２及び隔壁６で囲繞された空間は、外気と連通する第２空間１４を形成する。第２空間１４に雨水等が浸入したとき、通気孔７も被水することになる。
【００２７】
図５に示すように、カバー３は、その裏面であって第２空間（１４）を形成する面に立設された導水体９を有する。
【００２８】
導水体９は、１ｍｍ程度の小間隙をもって対向する板片の対からなる。そして、この板片は、その短冊状の長手方向でカバー３に接する端面の背端面の両端部に第１突起１０と第２突起１１を突設させた形状を有する。第１突起１０は、カバー３を図４に示すベース２へ取り付けるとき、図３に示す状態となるように頭頂面のカバー３からの高さが設定されている。すなわち、第１突起１０の頭頂面は、防水シート８の第２空間（１４）側の表面に接触しない程度の近接状態に位置決めされる。第１突起１０の頭頂面と防水シート８の表面との間隙は、零であることが吸水効果を高める点で好ましいが、その場合には防水シート８を損傷させる虞があるので、実施例では０．３〜０．５ｍｍとしている。
【００２９】
カバー３をベース２に取り付けるとき、第２突起１１の頭頂面は隔壁６に当接するように、第２突起１１の頭頂面のカバー３からの高さが設定されている。この高さ寸法は、第１突起１０の頭頂面の高さ寸法より小さい。このように構成することにより、カバー３をベース２に取り付けるときに、第１突起１０の頭頂面で防水シート８が損傷されるのを防ぐことができる。
【００３０】
導水体９の第１突起１０が設けられた一方の端部は、第１突起１０から直線的にカバー３の外周部へ短く延長されている。また、導水体９の第２突起１１が設けられた他方の端部方向へ、導水体９は第１突起１０部分から屈曲してカバー３の外周部へ比較的長く延長されている。そして、導水体９の延長された両端部は、図１（ｂ）に示す排水口１２の近傍に位置するようにカバー３の裏面に設けられる。そのため、通気孔７に設けられた防水シート８の第２空間１４側の表面に表面張力で形成された水膜の水は、導水体９の小間隙をもって対向する板片の対に基づく毛細管現象で吸水され、さらに導水されて排水口１２に至るようにして排出される。
【００３１】
排水口１２は、ベース２のカバー３に隣接する外周面に刻設されており、発音体５から発する音の出口ともなるものである。
【００３２】
以上詳述したことから明らかなように、本実施形態の筺体構造によれば、防水性と通気性を有する素材からなり隔壁６に設けた通気孔７を覆う防水シート８の第２空間１４側に、防水シート８の表面に接触しない程度の近接状態で、小間隙で対向する板片の対からなる導水体９を設けるので、防水シート８の水膜が除去され、第１空間１３の圧力を良好に保つので、発音体５の音質不良や破損を回避できるという優れた効果を奏する。
【００３３】
なお、本発明は、当業者の知識に基づいて様々な変更、修正、改良等を加えた態様において実施され得るものを含む。また、前記変更等を加えた実施態様が、本発明の趣旨を逸脱しない限りいずれも本発明の範囲内に含まれるものであることは言うまでもない。
【００３４】
例えば、上述の実施形態は、筺体に発音体を収納する例で説明したものであるが、本発明は、防水シートにて通気孔を覆う必要のある各種機器であって、被水の虞のあるものに適用することができる。具体的には、結露防止等のための通気孔を有する車載用の電磁継電器、ＥＣＵ、ヘッドライト等の機器に適用することができる。
【００３５】
また、導水体は、毛細管現象を用いたものとして説明したが、ベルヌーイの定理を応用したものやポンプを用いたもの等であってもよい。
【符号の説明】
【００３６】
１    筺体
２    ベース
３    カバー
４    ケース
５    発音体
６    隔壁
７    通気孔
８    防水シート
９    導水体
１０    第１突起
１１    第２突起
１２    排水口
１３    第１空間
１４    第２空間
【図１】
0005759909.tif 000002
【図２】
0005759909.tif 000003
【図３】
0005759909.tif 000004
【図４】
0005759909.tif 000005
【図５】
0005759909.tif 000006